(57)【特許請求の範囲】
【請求項１】
内外周に重ねて同心状に配置された一次コイル及び二次コイルと、
該一次コイル及び二次コイルの軸心位置に配置された中心コアと、
該中心コアと上記一次コイル及び二次コイルとを収容するケースと、
該ケース内に形成された隙間に充填された熱硬化性樹脂と、を備えており、
上記一次コイルが外周面に巻回された一次スプールの表面における少なくとも内周面と、上記二次コイルが外周面に巻回された二次スプールの表面における少なくとも内周面との少なくとも一方には、凹凸面が形成されているとともに、撥油性及び絶縁性を有する機能性樹脂層が設けられており、
該機能性樹脂層の表面は、上記凹凸面に倣った凹凸面に形成されており、
上記機能性樹脂層が設けられた部分には、該機能性樹脂層から上記熱硬化性樹脂が剥離したことによる微小な隙間が形成されていることを特徴とする内燃機関用点火コイル。
【請求項２】
請求項１に記載の内燃機関用点火コイルにおいて、上記機能性樹脂層は、撥油性及び絶縁性を有する、フッ素系又はシリコーン系の樹脂もしくはゴムによって構成されていることを特徴とする内燃機関用点火コイル。
【請求項３】
内外周に重ねて同心状に配置された一次コイル及び二次コイルと、
該一次コイル及び二次コイルの軸心位置に配置された中心コアと、
該中心コアと上記一次コイル及び二次コイルとを収容するケースと、
該ケース内に形成された隙間に充填された熱硬化性樹脂と、を備える内燃機関用点火コイルを製造する方法であって、
上記一次コイルが外周面に巻回された一次スプールの表面における少なくとも内周面と、上記二次コイルが外周面に巻回された二次スプールの表面における少なくとも内周面との少なくとも一方に凹凸面を形成する加工工程と、
上記凹凸面が形成された、上記一次スプールの表面と上記二次スプールの表面との少なくとも一方に、撥油性及び絶縁性を有する機能性樹脂層を設け、該機能性樹脂層の表面を上記凹凸面に倣った凹凸面に形成する樹脂層形成工程と、
上記中心コアと上記一次コイル及び二次コイルとを上記ケース内に収容して、コイル組付体を形成する組付工程と、
真空環境下において、上記コイル組付体の上記ケース内に形成された隙間に上記熱硬化性樹脂を充填する充填工程と、
真空環境下において上記コイル組付体を加熱することによって、脱泡を行いながら上記熱硬化性樹脂を硬化させ、上記機能性樹脂層が設けられた部分に、該機能性樹脂層からの上記熱硬化性樹脂の剥離を生じさせて微小な隙間を形成する加熱硬化工程と、を含むことを特徴とする内燃機関用点火コイルの製造方法。
【請求項４】
請求項３に記載の内燃機関用点火コイルの製造方法において、上記加工工程においては、ショットブラスト加工を行って、上記凹凸面を形成することを特徴とする内燃機関用点火コイルの製造方法。
【請求項５】
請求項３又は４に記載の内燃機関用点火コイルの製造方法において、上記機能性樹脂層は、撥油性及び絶縁性を有する、フッ素系又はシリコーン系の樹脂もしくはゴムによって構成することを特徴とする内燃機関用点火コイルの製造方法。
【発明の詳細な説明】
【技術分野】
【０００１】
本発明は、内燃機関の燃焼室に配設するスパークプラグに、スパークを発生させるために用いる内燃機関用点火コイル及びその製造方法に関する。
【背景技術】
【０００２】
エンジン等の内燃機関に用いる点火コイルは、一次コイルと、一次コイルへの通電を遮断したときに誘導起電力を発生させる二次コイルとを同心状に内外周に重ねて配置し、一次コイル及び二次コイルの軸心位置に、軟磁性材料からなる中心コアを配置している。そして、一次コイル、二次コイル及び中心コア等をケース内に配置し、このケース内の隙間をエポキシ樹脂等の熱硬化性樹脂によって充填して、この熱硬化性樹脂によって、一次コイル、二次コイル及び中心コア等の絶縁及び固着を行っている。
【０００３】
例えば、特許文献１の点火コイル及びその製造方法においては、一次コイル、二次コイル及び中心コアをケース内に配置し、ケース内の隙間を熱硬化性樹脂によって充填して、点火コイルを形成している。また、この点火コイルにおいては、中心コアの磁化方向の端部である軸方向端部に配置した応力緩和部材を、独立気泡を有する発泡体から構成している。これにより、応力緩和部材から気泡が発生しにくくして、点火コイル内に充填した熱硬化性樹脂にガスが気泡として残存することを効果的に抑制している。
【先行技術文献】
【特許文献】
【０００４】
【特許文献１】特開２００７−３１１７１６号公報
【発明の概要】
【発明が解決しようとする課題】
【０００５】
しかしながら、点火コイル内において、一次コイル、二次コイル及び中心コアの周辺に形成される隙間の幅は狭い。そのため、この隙間に熱硬化性樹脂の充填を行う際には、この隙間を真空状態にして熱硬化性樹脂の充填を行ったとしても、微細な気泡が抜け切らずに残存するおそれがある。この場合、熱硬化性樹脂の硬化後に、微細な気泡を起点として微細なクラックが発生し、点火コイルの絶縁性能を悪化させる要因になってしまう。
【０００６】
本発明は、かかる背景に鑑みてなされたもので、熱硬化性樹脂に微細なクラックが発生しにくくするとともに、熱硬化性樹脂に微細なクラックが発生した場合でも、このクラックが、点火コイルの他の構成部品まで伸展してしまうことを効果的に防止することができる内燃機関用点火コイル及びその製造方法を提供しようとして得られたものである。
【課題を解決するための手段】
【０００７】
本発明の一態様は、内外周に重ねて同心状に配置された一次コイル及び二次コイルと、
該一次コイル及び二次コイルの軸心位置に配置された中心コアと、
該中心コアと上記一次コイル及び二次コイルとを収容するケースと、
該ケース内に形成された隙間に充填された熱硬化性樹脂と、を備えており、
上記一次コイルが外周面に巻回された一次スプールの表面における少なくとも内周面と、上記二次コイルが外周面に巻回された二次スプールの表面における少なくとも内周面との少なくとも一方には、凹凸面が形成されているとともに、撥油性及び絶縁性を有する機能性樹脂層が設けられており、
該機能性樹脂層の表面は、上記凹凸面に倣った凹凸面に形成されており、
上記機能性樹脂層が設けられた部分には、該機能性樹脂層から上記熱硬化性樹脂が剥離したことによる微小な隙間が形成されていることを特徴とする内燃機関用点火コイルにある（請求項１）。
【０００８】
本発明の他の態様は、内外周に重ねて同心状に配置された一次コイル及び二次コイルと、
該一次コイル及び二次コイルの軸心位置に配置された中心コアと、
該中心コアと上記一次コイル及び二次コイルとを収容するケースと、
該ケース内に形成された隙間に充填された熱硬化性樹脂と、を備える内燃機関用点火コイルを製造する方法であって、
上記一次コイルが外周面に巻回された一次スプールの表面における少なくとも内周面と、上記二次コイルが外周面に巻回された二次スプールの表面における少なくとも内周面との少なくとも一方に凹凸面を形成する加工工程と、
上記凹凸面が形成された、上記一次スプールの表面と上記二次スプールの表面との少なくとも一方に、撥油性及び絶縁性を有する機能性樹脂層を設け、該機能性樹脂層の表面を上記凹凸面に倣った凹凸面に形成する樹脂層形成工程と、
上記中心コアと上記一次コイル及び二次コイルとを上記ケース内に収容して、コイル組付体を形成する組付工程と、
真空環境下において、上記コイル組付体の上記ケース内に形成された隙間に上記熱硬化性樹脂を充填する充填工程と、
真空環境下において上記コイル組付体を加熱することによって、脱泡を行いながら上記熱硬化性樹脂を硬化させ、上記機能性樹脂層が設けられた部分に、該機能性樹脂層からの上記熱硬化性樹脂の剥離を生じさせて微小な隙間を形成する加熱硬化工程と、を含むことを特徴とする内燃機関用点火コイルの製造方法にある（請求項３）。
【発明の効果】
【０００９】
上記内燃機関用点火コイルにおいては、一次コイル、二次コイル、中心コア等をケース内に配置して組付を行ったコイル組付体のケース内の隙間に、熱硬化性樹脂を充填する際には、機能性樹脂層が撥油性を有することにより、この機能性樹脂層が設けられた部分に、気泡が付着することを効果的に防止することができる。
これにより、硬化後の熱硬化性樹脂内における気泡の残存を効果的に防止することができ、点火コイルにおける微細なクラックの発生を効果的に防止することができる。
また、撥油性を有する機能性樹脂層が設けられていることにより、充填された熱硬化性樹脂が硬化する際には、この熱硬化性樹脂が機能性樹脂層に接着されないようにすることができる。これにより、機能性樹脂層が設けられた部分に熱硬化性樹脂の剥離が発生し、この剥離が生じた部分に、微小な隙間（数μｍ〜数百μｍ）を形成することができる。
【００１０】
この隙間の形成により、点火コイルを使用する際に、点火コイルにおける各構成部品の線膨張係数の差に起因して点火コイル内に発生する熱応力を低減させることができる。そのため、熱硬化性樹脂に微細なクラック（割れ）が発生しにくくすることができる。また、熱硬化性樹脂中に残存する微細な気泡によって熱硬化性樹脂に微細なクラックが発生した場合でも、このクラックが、一次コイル、一次スプール、二次コイル、二次スプール、中心コア等の構成部品まで伸展してしまうことを効果的に防止することができる。
【００１１】
それ故、上記内燃機関用点火コイルによれば、熱硬化性樹脂に微細なクラックが発生しにくくするとともに、熱硬化性樹脂に微細なクラックが発生した場合でも、このクラックが、点火コイルの他の構成部品まで伸展してしまうことを効果的に防止することができる。
【００１２】
上記内燃機関用点火コイルの製造方法においては、組付工程を行う前に、樹脂層形成工程として、一次コイルの表面、一次スプールの表面、二次コイルの表面、二次スプールの表面、中心コアの表面のうちの少なくともいずれかに、撥油性及び絶縁性を有する機能性樹脂層を設ける。これにより、組付工程及び充填工程を行った後、加熱硬化工程において、脱泡を行いながら熱硬化性樹脂を硬化させる際には、熱硬化性樹脂内に発生する気泡が、機能性樹脂層の表面に付着しにくくすることができる。そのため、硬化後の熱硬化性樹脂内における気泡の残存を効果的に防止することができ、点火コイルにおける微細なクラックの発生を効果的に防止することができる。
【００１３】
また、撥油性を有する機能性樹脂層が設けられていることにより、充填された熱硬化性樹脂が硬化する際には、この熱硬化性樹脂が機能性樹脂層に接着されないようにすることができる。これにより、機能性樹脂層が設けられた部分に熱硬化性樹脂の剥離が発生し、この剥離が生じた部分に、微小な隙間（数μｍ〜数百μｍ）を形成することができる。
それ故、上記製造方法によれば、熱硬化性樹脂に微細なクラックが発生しにくくするとともに、熱硬化性樹脂に微細なクラックが発生した場合でも、このクラックが、点火コイルの他の構成部品まで伸展してしまうことを効果的に防止することができる点火コイルを製造することができる。
【図面の簡単な説明】
【００１４】
【図１】実施例にかかる、内燃機関用点火コイルを示す断面図。
【図２】実施例にかかる、内燃機関用点火コイルの一部を拡大して示す断面図。
【図３】実施例にかかる、機能性樹脂層が形成された部分の周辺を拡大して示す説明図。
【図４】実施例にかかる、コイル組付体のケース内の隙間に充填された熱硬化性樹脂から脱泡が行われる状態を示す断面図。
【図５】実施例にかかる、凹凸面に対して機能性樹脂層が形成された部分の周辺を拡大して示す説明図。
【図６】実施例にかかる、他の内燃機関用点火コイルの一部を拡大して示す断面図。
【発明を実施するための形態】
【００１５】
上述した内燃機関用点火コイル及びその製造方法における好ましい実施の形態につき説明する。
上記内燃機関用点火コイル及びその製造方法においては、上記一次スプール、二次スプール、中心コアには、樹脂又はゴムからなる応力緩和用の部材を設けることができる。この場合には、機能性樹脂層は、応力緩和用の部材の表面に設けることができる。
【００１６】
また、上記内燃機関用点火コイルにおいて、上記機能性樹脂層は、上記一次スプールの表面と上記二次スプールの表面との少なくとも一方に設けられており、上記機能性樹脂層が設けられた、上記一次スプールの表面と上記二次スプールの表面との少なくとも一方は、凹凸面に形成されている。
また、上記内燃機関用点火コイルの製造方法において、上記樹脂層形成工程においては、上記一次スプールの表面と上記二次スプールの表面との少なくとも一方に上記機能性樹脂層を設け、上記樹脂層形成工程を行う前には、上記機能性樹脂層を設ける、上記一次スプールの表面と上記二次スプールの表面との少なくとも一方にショットブラスト加工を行って、凹凸面を形成する加工工程を行ってもよい（請求項４）。
【００１７】
これらの場合には、凹凸面を形成した、一次スプールの表面と二次スプールの表面との少なくとも一方に、機能性樹脂層を付着しやすくすることができる。また、スプールの表面の凹凸に倣って機能性樹脂層を設けることにより、機能性樹脂層の表面も凹凸面に形成することができる。これにより、脱泡を行いながら熱硬化性樹脂の硬化を行う際に、気泡が凹凸面の凸部に当たることにより、気泡が機能性樹脂層の表面に、より付着しにくくすることができる。
なお、ショットブラスト加工とは、投射材と呼ばれる多数の粒体を被加工物である一次スプール（又は二次スプール）に衝突させ、一次スプール（又は二次スプール）の表面に多数の凹凸を形成する加工のことをいう。
【００１８】
また、上記機能性樹脂層は、撥油性及び絶縁性を有する、フッ素系又はシリコーン系の樹脂もしくはゴムによって構成されていてもよい（請求項２、５）。
この場合には、熱硬化性樹脂を硬化させる際における、機能性樹脂層への気泡の付着防止効果、及び硬化した熱硬化性樹脂が機能性樹脂層から剥離する効果をより高めることができる。
【実施例】
【００１９】
以下に、内燃機関用点火コイル及びその製造方法にかかる実施例につき、図面を参照して説明する。
図１には、内燃機関用点火コイル１（以下、単に点火コイル１という。）を断面にして示す。
同図に示すごとく、点火コイル１は、内外周に重ねて同心状に配置された一次コイル２１及び二次コイル２２と、一次コイル２１及び二次コイル２２の軸心位置に配置された中心コア２３と、中心コア２３と一次コイル２１及び二次コイル２２とを収容するケース３と、ケース３内に形成された隙間に充填された熱硬化性樹脂５とを備えている。
【００２０】
図２には、点火コイル１の一部を拡大して示し、図３には、機能性樹脂層６が形成された部分の周辺を拡大して示す。
図２に示すごとく、一次コイル２１を巻回する一次スプール２１１の表面、及び二次コイル２２を巻回する二次スプール２２１の表面には、撥油性及び絶縁性を有する機能性樹脂層６が設けられている。図３に示すごとく、機能性樹脂層６が設けられた部分には、熱硬化性樹脂５が剥離したことによる数μｍ〜数百μｍの微小な隙間Ｓが形成されている。
【００２１】
本例の点火コイル１の製造方法においては、以下の各工程を行って点火コイル１を製造する。
まず、樹脂層形成工程として、一次コイル２１を巻回する一次スプール２１１の表面、及び二次コイル２２を巻回する二次スプール２２１の表面に、撥油性及び絶縁性を有する機能性樹脂層６を設ける。次いで、組付工程として、中心コア２３と一次コイル２１及び二次コイル２２とをケース３内に収容して、コイル組付体１０を形成する。次いで、充填工程として、真空環境下において、コイル組付体１０のケース３内に形成された隙間に熱硬化性樹脂５を充填する。次いで、加熱硬化工程として、真空環境下においてコイル組付体１０を加熱することによって、脱泡を行いながら熱硬化性樹脂５を硬化させ、機能性樹脂層６が設けられた部分に、熱硬化性樹脂５の剥離を生じさせて微小な隙間Ｓを形成する。
【００２２】
以下に、本例の内燃機関用点火コイル１及びその製造方法につき、図１〜図６を参照して詳説する。
図１に示すごとく、本例の点火コイル１は、内燃機関としてのエンジンにおけるプラグホールに配置し、プラグホールに取り付けられたスパークプラグに装着して用いるものである。
一次コイル２１は、樹脂からなる一次スプール２１１の外周に巻回された一次巻線（マグネットワイヤ）によって形成されている。二次コイル２２は、樹脂からなる二次スプール２２１の外周に巻回された、一次巻線よりも細い二次巻線（マグネットワイヤ）によって形成されている。二次コイル２２は、一次コイル２１の内周側に配置されている。なお、一次コイル２１は、一次スプール２１１を用いずに形成することもできる。また、一次スプール２１１の外周には、応力緩和用のテープ２１２が巻き付けられている。
中心コア２３は、軟磁性材料からなる多数の電磁鋼板を積層して形成されている。なお、中心コア２３は、磁性粉体を圧縮成形して形成することもできる。
【００２３】
ケース３は、一次コイル２１、二次コイル２２及び中心コア２３等を収容し、プラグホール内に配置される筒状部分３１と、プラグホールの外部に配置されるコネクタ部分３２とによって構成されている。筒状部分３１の下部には、二次巻線の高電圧巻線端部を接続する高電圧端子４１、高電圧端子４１に導通されるスプリング４２、及びスパークプラグに装着されるプラグキャップ４３が設けられている。コネクタ部分３２には、点火コイル１を外部に電気接続するためのコネクタ接続部３２１、及び点火コイル１をエンジンに取り付けるための取付フランジ部３２２が設けられている。
ケース３の筒状部分３１の外周には、軟磁性材料からなる電磁鋼板によって形成された外周コア２４が配置されている。
熱硬化性樹脂５は、ベースとなる樹脂に硬化剤を混合して、所定の温度に加熱すると硬化するエポキシ樹脂である。
【００２４】
本例の機能性樹脂層６は、撥油性及び絶縁性を有する、フッ素系又はシリコーン系の樹脂もしくはゴムによって構成されている。
フッ素系の樹脂又はゴムとしては、例えば、フロロサーフＦＳ−１０１０（（株）フロロテクノロジー製）、ＤＵＲＡＳＵＲＦ  ＤＳ１１００（（株）ハーベス製）、ＫＹ１６４（信越化学工業（株）製）、ＰＴＦＥ樹脂塗料（四フッ化エチレン含有）、ＰＦＡ樹脂塗料（四フッ化エチレン・六フッ化プロピレン重合体含有）等を用いることができる。シリコーン系の樹脂又はゴムとしては、例えば、離型剤ＫＳ−７０７（信越シリコーン）（信越化学工業（株）製）を用いることができる。
【００２５】
次に、本例の点火コイル１の製造方法につき詳説する。
本例の製造方法においては、まず、樹脂層形成工程として、一次スプール２１１の表面及び二次スプール２２１の表面に、撥油性及び絶縁性を有する機能性樹脂層６を設ける。本例においては、一次スプール２１１の表面の全体及び二次スプール２２１の表面の全体に機能性樹脂層６を設ける。このとき、機能性樹脂層６は、機能性樹脂材料の液体中に浸漬させた後に引き上げ、乾燥・硬化させて、所定の厚みに形成することができる。また、機能性樹脂層６は、機能性樹脂材料の液体を、噴射又は塗布し、乾燥・硬化させて、所定の厚みに形成することもできる。
【００２６】
次いで、組付工程として、中心コア２３を、二次コイル２２を巻回した二次スプール２２１の内周側に配置する。また、一次コイル２１を巻回した一次スプール２１１の内周側に、二次コイル２２を巻回した二次スプール２２１と中心コア２３とを配置する。そして、中心コア２３、一次スプール２１１及び二次スプール２２１をケース３内に配置し、ケース３の外周に外周コア２４を配置する。こうして、その他の構成部品の配置も行って、コイル組付体１０を形成する（図１参照）。なお、同図は、コイル組付体１０の隙間に熱硬化性樹脂５が充填された状態で記載している。
【００２７】
次いで、充填工程として、コイル組付体１０のケース３内における隙間を真空状態にする。この真空状態の形成は、コイル組付体１０を、真空ポンプによって真空にした真空タンク内に配置することによって行うことができる。そして、真空環境下において、ケース３内における隙間に熱硬化性樹脂５を充填する。
次いで、加熱硬化工程として、上記真空状態を保ったまま、コイル組付体１０を加熱して、熱硬化性樹脂５を硬化させる。
コイル組付体１０は、その外部からの熱伝達によって加熱することができ、一次コイル２１と二次コイル２２との少なくとも一方に通電を行って加熱することもできる。
【００２８】
図４には、加熱硬化工程において、コイル組付体１０のケース３内の隙間に充填された熱硬化性樹脂から脱泡が行われる状態を示す。
加熱硬化工程において、脱泡を行いながら熱硬化性樹脂５を硬化させる際には、一次スプール２１１の表面と二次スプール２２１の表面とに機能性樹脂層６が形成されていることにより、これらの表面に気泡Ｋが付着しにくくすることができる。すなわち、熱硬化性樹脂５内に発生する気泡Ｋは、機能性樹脂層６の表面を滑って上昇しやすく、機能性樹脂層６の表面に付着しにくい。そのため、硬化後の熱硬化性樹脂５内における気泡Ｋの残存を効果的に防止することができ、点火コイル１における微細なクラックの発生を効果的に防止することができる。
【００２９】
また、撥油性を有する機能性樹脂層６が設けられていることにより、充填された熱硬化性樹脂５が硬化する際には、この熱硬化性樹脂５が機能性樹脂層６に接着されないようにすることができる。これにより、図２、図３に示すごとく、機能性樹脂層６が設けられた部分に熱硬化性樹脂５の剥離が発生し、この剥離が生じた部分に、微小な隙間Ｓを形成することができる。
この隙間Ｓの形成により、点火コイル１を使用する際に、点火コイル１における各構成部品の線膨張係数の差に起因して点火コイル１内に発生する熱応力を低減させることができる。そのため、熱硬化性樹脂５に微細なクラック（割れ）が発生しにくくすることができる。また、熱硬化性樹脂５中に残存する微細な気泡Ｋによって熱硬化性樹脂５に微細なクラックが発生した場合でも、このクラックが、特に一次スプール２１１及び二次スプール２２１まで伸展してしまうことを効果的に防止することができる。
【００３０】
それ故、本例の製造方法によって製造した点火コイル１によれば、熱硬化性樹脂５に微細なクラックが発生しにくくするとともに、熱硬化性樹脂５に微細なクラックが発生した場合でも、このクラックが、点火コイル１の他の構成部品まで伸展してしまうことを効果的に防止することができる。
【００３１】
また、図５に示すごとく、一次スプール２１１の表面と二次スプール２２１の表面とは、ショットブラスト加工を行うことによって、凹凸面Ｘに形成することができる。この場合には、一次スプール２１１の表面と二次スプール２２１の表面とに、機能性樹脂層６を付着しやすくすることができる。また、各スプール２１１，２２１の表面の凹凸に倣って機能性樹脂層６を設けることにより、機能性樹脂層６の表面も凹凸面Ｘに形成することができる。これにより、脱泡を行いながら熱硬化性樹脂５の硬化を行う際に、気泡Ｋが凹凸面Ｘの凸部に当たることにより、気泡Ｋが機能性樹脂層６の表面に、より付着しにくくすることができる。
【００３２】
また、図６に示すごとく、機能性樹脂層６は、一次スプール２１１及び二次スプール２２１に設ける以外にも、一次コイル（一次巻線）２１及び二次コイル（二次巻線）２２に設けることができる。この場合、一次コイル２１及び二次コイル２２は、導体部の周りに形成されたエナメル等の被覆膜の表面に、機能性樹脂層６を有することになる。この場合には、熱硬化性樹脂５に微細なクラックが発生しにくくするとともに、熱硬化性樹脂５に微細なクラックが発生した場合でも、このクラックが、特に一次コイル２１及び二次コイル２２まで伸展してしまうことを効果的に防止することができる。
【００３３】
また、図示は省略するが、機能性樹脂層６は、一次コイル２１、一次スプール２１１、二次コイル２２、二次スプール２２１の各表面の全体に設けることもできる。さらに、機能性樹脂層６は、中心コア２３の表面の全体に設けることもできる。
【符号の説明】
【００３４】
１  内燃機関用点火コイル
２１  一次コイル
２２  二次コイル
２２１  二次スプール
２３  中心コア
２３１  熱収縮チューブ
３  ケース
５  熱硬化性樹脂
６  機能性樹脂層
Ｓ  微小な隙間
【図１】
0005887852.tif 000002
【図２】
0005887852.tif 000003
【図３】
0005887852.tif 000004
【図４】
0005887852.tif 000005
【図５】
0005887852.tif 000006
【図６】
0005887852.tif 000007